(57)【特許請求の範囲】
【請求項１】
貫通ねじ孔を有する底板部の左右両端から、前記貫通ねじ孔を螺合貫通する吊りボルトによって左右に押し広げられる左右一対の側壁部が連設され、両側壁部の上端には、吊りボルトで左右に押し広げられたときにデッキプレートの蟻溝部の左右両側入り隅部に嵌合する抜け止め用係止部が形成された天井吊り金具であって、前記両側壁部には、少なくとも前記抜け止め用係止部がデッキプレートの蟻溝部の左右両側入り隅部に嵌合したときに、当該デッキプレートの蟻溝部の左右両側肩部の外側に当接する突出部が設けられている、デッキプレート用天井吊り金具。
【請求項２】
前記両側壁部は、前記抜け止め用係止部の直下位置での横断面での四隅を結ぶ四角形が傾倒平行四辺形となるように構成されたもので、前記抜け止め用係止部をデッキプレートの蟻溝部内に挿入した状態で前記吊りボルトのねじ込み方向に両側壁部を回転させたとき、前記傾倒平行四辺形の４つの角の内、対角線が長い方の２つの角に相当する両側壁部の各一側辺が、デッキプレートの蟻溝部の両肩部内側辺に当接して回り止めとなるように構成され、前記突出部は、両側壁部の前記回り止めとなる各一側辺にのみ突設されている、請求項１に記載のデッキプレート用天井吊り金具。
【請求項３】
前記両側壁部の各両側辺それぞれから前記突出部が突設されている、請求項１に記載のデッキプレート用天井吊り金具。
【請求項４】
前記突出部は、両側壁部を構成する板材の一部を突出させて両側壁部と一体に形成されている、請求項１〜３の何れかに記載のデッキプレート用天井吊り金具。
【請求項５】
前記両側壁部は、底板部から一体に曲げ加工により立ち上がる板材を、上方程互いに接近する対面板部と、当該対面板部の上端側から外側へ互いに離間するように延出する上端板部と、前記対面板部の両側辺と前記上端板部の両側辺とをつなぐ両側板部と、から成る略左右対称形の外向きスプーン状に曲げ絞り加工して構成され、当該両側壁部の前記両側板部に切り欠き凹部が設けられ、この切り欠き凹部の上側が前記抜け止め用係止部に形成されると共に、切り欠き凹部の下側が前記突出部に形成されている、請求項１に記載のデッキプレート用天井吊り金具。
【発明の詳細な説明】
【０００１】
【発明の属する技術分野】
本発明は、コンクリートスラブの下側コンクリート型枠板を兼用する場合などに使用されるデッキプレート、即ち、蟻溝部を適当間隔おきに備えたデッキプレート（一般にスーパーＥデッキと称される）の蟻溝部に取り付けて、吊りボルトにより各種配管やダクト、天井板取り付け用枠材などを吊るすのに使用される天井吊り金具に関するものである。
【０００２】
【従来の技術】
この種の天井吊り金具として、貫通ねじ孔を有する底板部の左右両端から、前記貫通ねじ孔を螺合貫通する吊りボルトによって左右に押し広げられる左右一対の側壁部が連設され、両側壁部の上端には、吊りボルトで左右に押し広げられたときにデッキプレートの蟻溝部の左右両側入り隅部に嵌合する抜け止め用係止部が形成された天井吊り金具が考えられている。
【０００３】
ところで、従来のこの種の天井吊り金具は、吊りボルトに作用する下向きの荷重は、両側壁部の抜け止め用係止部とデッキプレートの蟻溝部の左右両側入り隅部との嵌合により、当該デッキプレートの蟻溝部の左右両肩部に作用させて確実に支持させることが出来るが、デッキプレートの蟻溝部に対する両側壁部の抜け止め用係止部の嵌合深さは浅く、両側壁部の抜け止め用係止部とデッキプレートの蟻溝部底面との間には空隙がある状態であるから、吊りボルトに左右横向きの曲げ力が作用したとき、吊りボルトと天井吊り金具とが一体に回動し、一方の側壁部の抜け止め用係止部がデッキプレートの蟻溝部内から外れることになる。即ち、下向きの荷重が作用している吊りボルトに左右横向きの曲げ力が働くと、天井吊り金具がデッキプレートの蟻溝部から容易に外れ落ちる恐れがあった。
【０００４】
【課題を解決するための手段】
本発明は上記のような従来の問題点を解決するために成されたものであって、その特徴を後述する実施例の参照符号を括弧付きで付して示すと、本発明のデッキプレート用天井吊り金具は、貫通ねじ孔３を有する底板部４の左右両端から、前記貫通ねじ孔３を螺合貫通する吊りボルト４によって左右に押し広げられる左右一対の側壁部５が連設され、両側壁部５の上端には、吊りボルト２で左右に押し広げられたときにデッキプレート１１の蟻溝部１２の左右両側入り隅部１４に嵌合する抜け止め用係止部７が形成された天井吊り金具であって、前記両側壁部５には、少なくとも前記抜け止め用係止部７がデッキプレート１１の蟻溝部１２の左右両側入り隅部１４に嵌合したときに、当該蟻溝部１２の左右両側肩部１３の外側に当接する突出部９が設けられた構成となっている。
【０００５】
上記構成の本発明のデッキプレート用天井吊り金具を実施するに際し、前記両側壁部５は、前記抜け止め用係止部７の直下位置での横断面での四隅を結ぶ四角形が傾倒平行四辺形となるように構成して、前記抜け止め用係止部７をデッキプレート１１の蟻溝部１２内に挿入した状態で前記吊りボルト２のねじ込み方向に両側壁部５を回転させたとき、前記傾倒平行四辺形の４つの角の内、対角線が長い方の２つの角に相当する両側壁部５の各一側辺（斜め側壁部６ａの側辺）が、デッキプレート１１の蟻溝部１２に於ける両肩部１３の内側辺１３ａに当接して回り止めとなるように構成し、前記突出部９は、両側壁部５の前記回り止めとなる各一側辺（斜め側壁部６ａの側辺）にのみ突設することが出来る。
【０００６】
又、前記両側壁部５の各両側辺それぞれから前記突出部９を突設することも出来る。更に、何れの場合も前記突出部９は、両側壁部５を構成する板材の一部を突出させて両側壁部５と一体に形成することが出来る。
【０００７】
又、前記両側壁部５は、底板部４から一体に曲げ加工により立ち上がる板材を、上方程互いに接近する対面板部２１と、当該対面板部２１の上端側から外側へ互いに離間するように延出する上端板部２２と、前記対面板部２１の両側辺と前記上端板部２２の両側辺とをつなぐ両側板部２３と、から成る略左右対称形の外向きスプーン状に曲げ絞り加工して構成し、当該両側壁部５の前記両側板部２３に切り欠き凹部２４を設け、この切り欠き凹部２４の上側を前記抜け止め用係止部７とすると共に、切り欠き凹部２４の下側を前記突出部９とすることが出来る。
【０００８】
【発明の実施の形態】
以下に本発明の好適実施形態を添付図に基づいて説明すると、図１Ａに於いて、１は本発明に係る鋼板製の天井吊り金具で、吊りボルト２が螺合貫通する貫通ねじ孔３を有する底板部４と、この底板部４の左右両側辺から上向きに折曲連設された側壁部５とを有する。貫通ねじ孔３は、底板部４から上向きに一体成形された円筒部４ａの内側にねじ溝を加工して構成しているが、底板部４に設けた貫通孔に合致するように当該底板部４の上側又は下側にナットを固着して構成することも出来る。
【０００９】
各側壁部５は、底板部４から一体に連なる板材の曲げプレス加工により一体成形されたもので、内向き突出部から成る押し広げ用操作部６と、当該押し広げ用操作部６の上側に形成された外向き突出部から成る抜け止め用係止部７と、当該抜け止め用係止部７の上端の内向き対向板部から成る吊りボルト当接部８と、各側壁部５の互いに反対側に位置する側辺から連設された翼状突出部９とを備えており、前記内向き突出部から成る押し広げ用操作部６は、中央縦断面が略くの字形で且つその頂部位置での横断面が略台形状となるように、３次元の曲げプレス加工により形成され、その左右両側の略三角形の斜め側壁部６ａ，６ｂの内、互いに反対側に位置する斜め側壁部６ａの側辺が延出されて、前記翼状突出部９が形成されている。又、内向き突出部から成る押し広げ用操作部６には、上下方向の吊りボルト案内用凹溝部１０がプレス加工により形成されている。
【００１０】
図１Ｂに於いて、１１は上記の天井吊り金具１を取り付けるデッキプレートであって、コンクリートスラブの下側型枠板を兼用し、コンクリートスラブ側に凹入する蟻溝部１２が適当間隔おきに形成されている。
【００１１】
更に詳述すると、上記天井吊り金具１は、図２Ａ，Ｂに示すように、各側壁部５の上端の抜け止め用係止部７がデッキプレート１１の蟻溝部１２の長さ方向に並列する向きでのみ、当該両抜け止め用係止部７をデッキプレート１１の蟻溝部１２内に挿入することが出来るように、両抜け止め用係止部７の外側辺間の間隔が広く設定されたものであって、図２Ｂに示すように、前記抜け止め用係止部７の直下位置（斜め側壁部６ａ，６ｂの位置）での横断面での四隅を結ぶ四角形が傾倒平行四辺形となるように構成されている。
【００１２】
しかして、図２Ａに示すように、前記抜け止め用係止部７をデッキプレート１１の蟻溝部１２内に挿入した状態で、当該両側壁部５を吊りボルト２のねじ込み方向（図２Ｂの矢印方向）に回転させたとき、図３Ｂに示すように、前記傾倒平行四辺形の４つの角の内、対角線が長い方の２つの角に相当する両側壁部５の各一側辺（斜め側壁部６ａの側辺）が、デッキプレート１１の蟻溝部１２の両肩部１３の内側辺１３ａに当接して回り止めとなるように構成され、前記翼状突出部９は、両側壁部５の前記回り止めとなる各一側辺（斜め側壁部６ａの側辺）にのみ連設されている。
【００１３】
上記構成の天井吊り金具１を使用するときは、吊りボルト２を底板部４の貫通ねじ孔３に、その吊りボルト２の上端が両側壁部５の押し広げ用操作部６を押し広げない程度に螺合貫通させた状態で、図２Ａ，Ｂに示すように、当該吊りボルト２を使用して天井吊り金具１を、各側壁部５の上端の抜け止め用係止部７がデッキプレート１１の蟻溝部１２の長さ方向に並列する向きで押し上げて、当該両抜け止め用係止部７をデッキプレート１１の蟻溝部１２内に挿入する。
【００１４】
次に、吊りボルト２をねじ込み方向に回転させて天井吊り金具１を一体に同一方向に回転させ、図３Ａに示すように、一対の抜け止め用係止部７が蟻溝部１２の巾方向に並列して当該蟻溝部１２の左右両側入り隅部１４内に嵌入するように、天井吊り金具１を回転させ、最終的に、図３Ｂに示すように、両側壁部５の各一側辺（斜め側壁部６ａの側辺）を、蟻溝部１２の両肩部１３の内側辺１３ａに当接させる。このとき翼状突出部９が、蟻溝部１２の両肩部１３の外側面（デッキプレート１１の下側面）１３ｂに隣接するように構成されている。
【００１５】
上記のように天井吊り金具１によって吊りボルト２が回り止めされた状態で、更に吊りボルト２をねじ込み方向に回転させると、当該吊りボルト２が天井吊り金具１の底板部４に対して螺進上昇し、当該吊りボルト２の上端が両側壁部５の押し広げ用操作部６間に割り込んで、当該両押し広げ用操作部６を介して両側壁部５を左右に押し広げるので、図１Ｂ及び図４に示すように、両側壁部５の左右両側辺（斜め側壁部６ａ，６ｂの側辺）が全て蟻溝部１２の両肩部１３の内側辺１３ａに当接すると共に、各抜け止め用係止部７が蟻溝部１２の左右両側入り隅部１４内に密に嵌合当接し、当該各抜け止め用係止部７の左右巾方向の一端部とその下側に位置する翼状突出部９とが蟻溝部１２の両肩部１３を挟み込む状態となって、デッキプレート１１への吊りボルト１２の取り付けが完了する。
【００１６】
尚、吊りボルト２は、図１Ｂに示すようにデッキプレート１１の蟻溝部１２の底面１２ａに当接するまでねじ込むことにより、当該吊りボルト１２の左右両側に両側壁部５の上端の吊りボルト当接部８が当接することになり、吊りボルト２に大きな下向きの荷重が作用したときに、両側壁部５の各抜け止め用係止部７が内側に変形して蟻溝部１２内から下に抜け落ちるのを確実に防止することができる。
【００１７】
以上のようにして吊りボルト２をデッキプレート１１の蟻溝部１２に取り付けた状態に於いて、吊りボルト２に左右横方向（蟻溝部１２の左右巾方向）の外力が作用したとき、当該吊りボルト２と一体に運動しようとする天井吊り金具１の両側壁部５の各抜け止め用係止部７が、吊りボルト２の上端と蟻溝部１２の底面１２ａとの当接部を支点にして蟻溝部１２内で回転しようとするが、その回転運動を、蟻溝部１２の両肩部１３の外側面（デッキプレート１１の下側面）１３ｂに当接する翼状突出部９が阻止することになるので、蟻溝部１２の両側入り隅部１４に対する抜け止め用係止部７の嵌合深さが浅くとも、下向きに回転しようとする一方の抜け止め用係止部７が蟻溝部１２から外れる恐れがない。勿論、吊りボルト２の上端が蟻溝部１２の底面１２ａに当接していない状態に於いても、蟻溝部１２内での両抜け止め用係止部７の回転運動を前記翼状突出部９が阻止することには変わりがない。
【００１８】
尚、図５に示すように、各側壁部５の上端の抜け止め用係止部７がデッキプレート１１の蟻溝部１２の左右巾方向に並列する向きに於いても、当該両抜け止め用係止部７をデッキプレート１１の蟻溝部１２内に挿入することが出来るように、両抜け止め用係止部７の外側辺間の間隔を狭く構成することも出来る。又、両抜け止め用係止部７の外側辺間の間隔が広いために、真上には両抜け止め用係止部７をデッキプレート１１の蟻溝部１２内に挿入することが出来ないものであっても、図６に示すように、天井吊り金具１を斜めにして、片側の抜け止め用係止部７から順に蟻溝部１２内に挿入出来るように構成することが出来る。何れにしても、両抜け止め用係止部７を蟻溝部１２内に挿入した状態で天井吊り金具１を吊りボルト２のねじ込み方向に回転させたとき、両側壁部５の左右両側辺の内、互いに反対側にある二側辺が蟻溝部１２の両肩部１３の内側辺１３ａに当接して、天井吊り金具１が回り止めされるように構成しておくのが望ましい。
【００１９】
又、図１〜図４に示した実施形態に於ける天井吊り金具１に於いて、翼状突出部９を両側壁部５の左右両側辺（斜め側壁部６ａ，６ｂの側辺）の全てから突設させても良いし、両側壁部５の左右両側辺の内、先に説明した傾倒平行四辺形の対角線の短い方の両角に相当する側辺（斜め側壁部６ｂの側辺）にのみ翼状突出部９を突設しても良い。
【００２０】
図７及び図８Ａ，Ｂに示す実施形態の天井吊り金具２０は、貫通ねじ孔３を備えた底板部４の左右両側辺から一体に曲げ加工により立ち上がる板材を、上方程互いに接近する対面板部２１と、当該対面板部２１の上端側から外側へ互いに離間するように延出する上端板部２２と、前記対面板部２１の両側辺と前記上端板部２２の両側辺とをつなぐ両側板部２３と、から成る略左右対称形の外向きスプーン状に曲げ絞り加工して構成された両側壁部５を備え、当該両側壁部５の前記両側板部２３に切り欠き凹部２４が設けられ、この切り欠き凹部２４の上側が前記抜け止め用係止部７に形成されると共に、切り欠き凹部２４の下側が、デッキプレート１１に於ける蟻溝部１２の両肩部１３の外側面（デッキプレート１１の下側面）１３ｂに当接する突出部９に形成され、対面板部２１の突出頂部が前記押し広げ用操作部６に形成されている。
【００２１】
上記構成の天井吊り金具２０は、両抜け止め用係止部７を蟻溝部１２の左右巾方向に並列させた向きでのみ、当該両抜け止め用係止部７を蟻溝部１２内に挿入し得るもので、底板部４の貫通ねじ孔３に螺合貫通させた吊りボルト２のねじ込みにより、当該吊りボルト２の上端で両側壁部５を左右に押し広げ、以て、図８に示すように、各側壁部５の左右一対の切り欠き凹部２４を蟻溝部１２の両肩部１３に外嵌させることにより、当該切り欠き凹部２４の上側の抜け止め用係止部７を蟻溝部１２の左右両側入り隅部１４に内嵌させると共に、当該切り欠き凹部２４の下側の各左右一対の突出部９を蟻溝部１２の両肩部１３の外側面（デッキプレート１１の下側面）１３ｂに当接させることが出来る。
【００２２】
【発明の効果】
以上のように本発明の天井吊り金具によれば、デッキプレートの蟻溝部の左右両側入り隅部に両側壁部の上端の抜け止め用係止部を対応させた状態で、吊りボルトをねじ込み方向に強く回転させるだけで、両側壁部を左右に押し広げてその上端の抜け止め用係止部を前記蟻溝部の左右両側入り隅部に嵌合させ、吊りボルトを当該蟻溝部から垂下する状態に、デッキプレートに取り付けることが出来るものであるが、最大の特徴は、このようにデッキプレートの蟻溝部を利用して取り付けられた吊りボルトに左右横向き（蟻溝部の左右巾方向）の大きな外力が作用したとき、蟻溝部内で両側壁部上端の抜け止め用係止部が吊りボルトの揺動方向に回転するのを、両側壁部の外側に設けられた突出部と蟻溝部の左右両側肩部の外側面（デッキプレートの下側面）との当接により阻止させることが出来る点にある。
【００２３】
従って、本発明の天井吊り金具によれば、吊りボルトに左右横向き（蟻溝部の左右巾方向）の大きな外力が作用したときでも、仮に、両側壁部の上端抜け止め用係止部と蟻溝部の左右両側入り隅部との嵌合深さが浅くとも、下向きに回動しようとする片側の抜け止め用係止部が蟻溝部内から外れて天井吊り金具（吊りボルト）が蟻溝部から外れ落ちる恐れがなくなり、天井吊り金具の取り付け強度が大巾に向上して安全性を高めることが出来る。
【００２４】
尚、請求項２に記載の構成によれば、突出部を構成するための材料増加量を最小限に抑えることが出来、重量増加及びコストアップを抑えることが出来る。勿論、請求項３に記載のように構成して、より確実な外れ止め効果を得ることも出来るし、請求項４に記載のように構成して、製造コストの増大を最小限に抑えることも出来る。
【００２５】
更に、請求項５に記載の構成によれば、両側壁部の強度アップを図り、且つ請求項３に記載の構成による効果と同様の効果も同時に得ることが出来るので、安全性の高い天井吊り金具を容易に得ることが出来る。
【図面の簡単な説明】
【図１】  Ａ図は天井吊り金具の斜視図であり、Ｂ図はデッキプレート蟻溝部に前記天井吊り金具を利用して吊りボルトを取り付けた状態を示す一部縦断正面図である。
である。
【図２】  Ａ図は天井吊り金具の抜け止め用係止部をデッキプレートの蟻溝部内に挿入した状態を示す一部縦断正面図であり、Ｂ図は同状態での横断平面図である。
【図３】  Ａ図は図２Ａの状態から天井吊り金具を回転させた状態を示す一部縦断正面図であり、Ｂ図は回り止めされる状態まで天井吊り金具を回転させた状態を示す横断平面図である。
【図４】  図１Ｂの横断平面図である。
【図５】  第二の実施形態に於ける天井吊り金具をデッキプレートに取り付ける直前の状態で示す縦断正面図である。
【図６】  更に第三の実施形態に於ける天井吊り金具をデッキプレートに取り付ける直前の状態で示す縦断正面図である。
【図７】  Ａ図は第四の実施形態に於ける天井吊り金具の平面図であり、Ｂ図は同一部縦断正面図である。
【図８】  図７に示す天井吊り金具で吊りボルトをデッキプレートの蟻溝部に取り付けた状態を示す一部縦断正面図である。
【符号の説明】
１，２０    天井吊り金具
２    吊りボルト
３    貫通ねじ孔
４    底板部
５    側壁部
６    押し広げ用操作部
７    抜け止め用係止部
８    吊りボルト当接部
９    翼状突出部
１０    吊りボルト案内用凹溝部
１２    蟻溝部
１３    蟻溝部の両肩部
１３ａ    両肩部の内側辺
１３ｂ    両肩部の外側面（デッキプレートの下側面）
１４    蟻溝部の左右両側入り隅部
２１    側壁部の対面板部
２２    側壁部の上端板部
２３    側壁部の両側板部
２４    側壁部の切り欠き凹部
【図１】
0004492900.tif 000002
【図２】
0004492900.tif 000003
【図３】
0004492900.tif 000004
【図４】
0004492900.tif 000005
【図５】
0004492900.tif 000006
【図６】
0004492900.tif 000007
【図７】
0004492900.tif 000008
【図８】
0004492900.tif 000009